(57)【要約】【課題】  従来の技術は、家具正面に取り付けるもので、幼い子でも回転して開放させることができるため、防止効果は薄いと思われる。引出しロックパーツを引き出し１つ１つに設けなければならず、固定に手間が掛かり、同時に開放にも手間が掛かるものである。従来の構成が有していた問題を解決しようとするもので、押え部を押えることで、すべての引出しの固定と開放を簡単・容易に行うことのできる家具引出し用開き防止具を提供すること。【解決手段】  家具の引き出し奥の、天板と底板との間に立設する上下動可能な支持軸を設け、この支持軸の上部に押え部を形設し、下部に出入りするロック具を設けると共に、支持軸に各引出しを係止する係止部を設けてなる。【選択図】図１
2013046724.tif 000002
【特許請求の範囲】
【請求項１】
家具の引出し奥の、天板と底板との間に立設する上下動可能な支持軸を設け、この支持軸の上部に押え部を形設し、下部に出入りするロック具を設けると共に、支持軸に各引出しを係止する係止部を設けてなることを特徴とする家具引出し用開き防止具。
【請求項２】
係止部が、支持軸の側部より複数突設してなることを特徴とする請求項１記載の家具引出し用開き防止具。
【請求項３】
係止部が、引出しの底面後部に係止することを特徴とする請求項１又は２記載の家具引出し用開き防止具。
【請求項４】
家具引出し用開き防止具を設けてなることを特徴とする家具。
【発明の詳細な説明】
【技術分野】
【０００１】  本発明は、家具（食器棚・キッチンカウンター・テレビボード等）の引出しを幼い子が容易に開けることを防止する家具引出し用開き防止具及び家具に関するものである。
【背景技術】
【０００２】  従来の技術としては、中間と末端にストッパーを設けた回転棒と表面下部中央につまみを固着し、裏面下部中央で固着した押え板とを、回転棒の先端と押え板の裏面上部中央で固着した本体と、本体を目的物に取付けるためのねじ穴付き取付金具、取付ねじによる扉開き防止金具がある。（特許文献１参照）【０００３】  別の従来技術として、抽斗の外側部あるいはチェスト本体側に取り付けられる取付基部と、該取付基部に連設さえた板ばね部と、該板ばね部に設けられ、チェスト本体の側板内側あるいは抽斗外側部に設けられた被係合部に係合する係合突起と、該板ばね部の端部に設けられ、チェスト本体の側板から突出して位置する操作頭部を有する操作部とからなり、上記取付基部、板ばね部、操作部及び操作頭部が、帯状部材で一体に形成されている引出しロックパーツがある。（特許文献２参照）
【先行技術文献】
【特許文献】
【０００４】
【特許文献１】  特開平９−６７９７１号公報
【特許文献２】  実用新案登録第３１０６７８１号公報
【発明の概要】
【発明が解決しようとする課題】
【０００５】  上記前者の出願は、家具正面に取り付けるもので、幼い子でも回転して開放させることができるため、防止効果は薄いと思われる。【０００６】  上記後者の出願は、引出しロックパーツを引き出し１つ１つに設けなければならず、固定に手間が掛かり、同時に開放にも手間が掛かるものである。【０００７】  本発明は、このような従来の構成が有していた問題を解決しようとするもので、押え部を押えることで、すべての引出しの固定と開放を簡単・容易に行うことのできる家具引出し用開き防止具及び家具を提供することを目的とする。
【課題を解決するための手段】
【０００８】  本発明は、上記目的を達成するため、家具の引き出し奥の、天板と底板との間に立設する上下動可能な支持軸を設け、この支持軸の上部に押え部を形設し、下部に出入りするロック具を設けると共に、支持軸に各引出しを係止する係止部を設けてなること。係止部が、支持軸の側部より複数突設してなること。係止部が、引出しの底面後部に係止すること。家具引出し用開き防止具を設けてなる家具であることを特徴とする家具である。
【発明の効果】
【０００９】１）、家具引出し用開き防止具を家具の引出しの奥の天板と底板との間に設けることにより、幼い子が手が届かず、セキュリティー効果は高い。
２）、支持軸の押圧部を押えることにより、ロック具が下部で固定され、係止部にて引出しを確実に係止・固定できる。
３）、押圧部を押すことにより、交互に固定と開放を繰り返すことができる。
４）、複数の係止部により、同時に複数の引出しを係止・固定できる。
５）、係止部が、引出しの底面後部を係止・固定することができ、引出しを傷付けることなく、一般に販売されている家具にも後付けできる。
【図面の簡単な説明】
【００１０】
【図１】  本発明の一実施例を示す家具引出し用開き防止具の側面図。
【図２】  本発明の一実施例を示す家具引出し用開き防止具を使用した家具の正面図。
【図３】  本発明の一実施例を示す家具引出し用開き防止具を設けていない棚の右断面側面図。
【図４】  本発明の一実施例を示す家具引出し用開き防止具を設けた引出しの固定状態の右断面側面図。
【図５】  本発明の一実施例を示す家具引出し用開き防止具を設けた引出しの開放状態の右断面側面図。
【発明を実施するための形態】
【００１１】家具引出し用開き防止具１は、家具Ｋの引出しの奥の、天板Ｔと底板Ｓとの間に立設する上下動可能な円柱あるいは角柱による支持軸Ｚの上部に円形状の押え部３を形設し、下部に上下に出入りするロック具４（メーカー：ブルム（オーストリア）、部品名：チップオン、品番：９５５・１００２）を使用している。
また、支持軸３の側部より各引出しの底面後部に、係止・固定する平板を略への字形に形成した係止部５を所要間隔にて突設してある。
【００１２】  この家具引出し用開き防止具を設けてなる家具を説明する。
家具Ｋは、左側に扉ＴＢ及び棚ＴＮを設け、右側に引出しＨ・Ｈ１・Ｈ２を設けてある、食器棚である。
【００１３】  家具Ｋは、家具引出し用開き防止具１を、天板Ｔと底板Ｓ間に設けたもので、幼い子の手が届かない奥に設けてある。
天板Ｔの上面に家具引出し用開き防止具の押え部３を突設し、底板Ｓの上面にロック具４が位置するよう設ける。
【００１４】  通常、引出しＨ・Ｈ１・Ｈ２は出し入れし易いよう、家具引出し用開き防止具１の押え部３を下方に下げることにより、ロック具４が引っ込み固定される。
この時、支持軸２は下がり、各係止部５は各引出しＨ・Ｈ１・Ｈ２より開放されており、出入り自由になっている。
【００１５】  例えば、外出時において、幼い子が部屋にいる時、再度押え部３を押えることによりロック具４のロックが外れ、支持軸２が上昇し、各係止部５が各引出しＨ・Ｈ１・Ｈ２の底面後部を係止し、係止（固定）し、各引出しＨ・Ｈ１・Ｈ２を引き出すことができない。
【００１６】  上記実施例において、ロック具は、同様な機能を有するものであれば、特に限定するものではない。
また、係止部においても係止できる形状であれば、特に限定するものではない。
さらに、材質においても、必要に応じて決めればよい。
【符号の説明】
【００１７】１―――家具引出し用開き防止具
２―――支持軸
３―――押え部
４―――ロック具
５―――各係止部
Ｋ―――家具
Ｔ―――天板
Ｓ―――底板
【図１】
2013046724.tif 000003
【図２】
2013046724.tif 000004
【図３】
2013046724.tif 000005
【図４】
2013046724.tif 000006
【図５】
2013046724.tif 000007